(57)【要約】【課題】ベースプレートの上面側からベースプレートの高さを調整できる手段を開発する。【解決手段】ベースプレート下面に設けた丸長ナット下部の定着プレートに、丸長ナットに連通するネジ穴を設け、該ネジ穴に六角穴ボルトを通して螺合し、該六角穴ボルトの先端に設置プレートを固定し、コンクリート基礎上に設けられた基礎プレート上に設置プレートを載せ、丸長ナットを通して六角穴ボルト頭部に六角穴レンチを挿入して設置プレートの高さ調整を行って、設置プレートと基礎プレートを溶接で固定する免震装置ベースプレート取付方法。【選択図】図３
2016148183.tif 000002
【特許請求の範囲】
【請求項１】
以下のステップからなるコンクリート基礎上に免震装置を設置するベースプレート取付方法。
（ステップ１）ベースプレート下面に設けた丸長ナット下部の定着プレートに、丸長ナットに連通するネジ穴を切る。
（ステップ２）該ネジ穴にベースプレート上面から六角穴ボルトを通して螺合する。
（ステップ３）該六角穴ボルトの先端に設置プレートを溶接する。
（ステップ４）コンクリート基礎上に取付けた基礎プレート上に設置プレートを載せる。
（ステップ５）ベースプレート上面から丸長ナットを通して六角穴ボルトの六角穴に六角穴レンチを挿入して設置プレートの高さ調整を行う。
（ステップ６）全ての設置プレートの高さ調整の終了後、設置プレートと基礎プレートを溶接して固定する。
【請求項２】
貫通する穴が形成されたベースプレートの下面側に、該穴に連通する丸長ナットが固着されており、該丸長ナットの先端にネジ穴が設けられた定着プレートが固着されており、該定着プレートのネジ穴に設置プレートが先端に固着された六角穴ボルトが螺合されており、
六角穴ボルトをベースプレート上面側から回動することにより、ベースプレートの設置高さが調整可能であることを特徴とする免震装置設置用の高さ調整機能付きベースプレート。
【発明の詳細な説明】
【技術分野】
【０００１】
本発明は、建築物や橋梁に用いる免震装置のベースプレート取付に関する。
【背景技術】
【０００２】
従来より、建築物や橋梁の免震装置として、積層ゴムを用いたものが知られている。この免震装置は、ゴムと鋼板とを積層して免震効果をもたせた本体部を形成し、この本体部の上下に上部フランジと下部フランジを設けた構成である。この免震装置を建築物や橋梁に設置する際には、耐圧版や基礎梁に基礎台（立上り基礎）を設け、その上の基礎柱の下端との間に免震装置を設置するものである。
【０００３】
このような免震装置を建築物の基礎や橋梁の下部構造（橋脚）に設置するにあたっては、通常、免震装置を支承する部材であるベースプレートを介して設置している。ベースプレートを、その高さ及び水平性を高い精度で調整して建築物の基礎や橋梁の下部構造（橋脚）に取り付ける必要があり、特許文献１や特許文献２に調整手段の例が開示されている。
【先行技術文献】
【特許文献】
【０００４】
【特許文献１】特許第３１３５３６８号公報
【特許文献２】特許第３２６１０２５号公報
【発明の概要】
【発明が解決しようとする課題】
【０００５】
しかしながら、特許文献１のベースプレートの取付方法では、ベースプレート固定用のアンカーボルトとは別に、高さ及び水平調整用のアンカーボルトが必要となり、アンカーボルトの数が増えて調整が面倒である。また、特許文献２のベースプレートの取付方法（図６参照）では、ベースプレート固定用のアンカーボルトと高さ及び水平調整用のアンカーボルトを分ける必要はないが、高さ及び水平の調整を、作業者が床面に顔を近づけて行う必要があり、作業姿勢が窮屈であり、作業性が極めて悪い。また、ベースプレートの下方に複数の部材があって、モルタルなどの流動性が阻害される。
本発明は、ベースプレートの上面側からベースプレートの高さを調整できる手段を開発することを課題とする。
【課題を解決するための手段】
【０００６】
本発明は、以下のステップからなるコンクリート基礎上に免震装置を設置するベースプレート取付方法を提供する。
（ステップ１）ベースプレート下面に設けた丸長ナット下部の定着プレートに、丸長ナットに連通するネジ穴を切る。
（ステップ２）該ネジ穴にベースプレート上面から六角穴ボルトを通して螺合する。
（ステップ３）該六角穴ボルトの先端に設置プレートを溶接する。
（ステップ４）コンクリート基礎上に取付けた基礎プレート上に設置プレートを載せる。
（ステップ５）ベースプレート上面から丸長ナットを通して六角穴ボルトの六角穴に六角穴レンチを挿入して設置プレートの高さ調整を行う。
（ステップ６）全ての設置プレートの高さ調整の終了後、設置プレートと基礎プレートを溶接して固定する。
【０００７】
また、本発明は、
貫通する穴が形成されたベースプレートの下面側に、該穴に連通する丸長ナットが固着されており、該丸長ナットの先端にネジ穴が設けられた定着プレートが固着されており、該定着プレートのネジ穴に設置プレートが先端に固着された六角穴ボルトが螺合されており、
六角穴ボルトをベースプレート上面側から回動することにより、ベースプレートの設置高さが調整可能であることを特徴とする免震装置設置用の高さ調整機能付きベースプレート提供することを目的とするものである。
【発明の効果】
【０００８】
本発明の免震装置ベースプレート取付方法及び高さ調整機能付きベースプレートによって、ベースプレートの上面側から高さ調整を行うことができる。免震装置のベースプレートの取付けを楽な姿勢で容易に行うことができ、免震装置のベースプレートの高さ調整及び水平調整を簡単かつ確実に行うことができる。ベースプレートの下方には六角穴ボルトの棒状体とその先端に平板が存在するだけなので、充填されるモルタルなどの流動性が阻害されず、ベースプレートの機能向上に資する。
【図面の簡単な説明】
【０００９】
【図１】本発明の免震装置用ベースプレート構造の概略断面を示す図。
【図２】本発明の免震装置用ベースプレートを基礎コンクリート上に載置した状態を示す概略図。
【図３】本発明の免震装置用ベースプレートの高さ調整の操作を示す概略図。
【図４】本発明の免震装置用ベースプレート取付固定状態を示す概略図。
【図５】免震装置の設置状態を示す概略図。
【図６】従来例を示す図。
【発明を実施するための形態】
【００１０】
以下、本発明の実施の形態について、図面を参照して説明する。
図１〜図５は、本発明の高さ調整機能付きベースプレート及びその高さ調整方法の一例を示す説明図である。
【００１１】
１は下部ベースプレートを示し、その上面には免震装置の下部フランジプレート１０２が載置されて免震装置が固定される。
【００１２】
下部ベースプレート１の下面には、丸長ナット３が溶接等により複数接続されている。この丸長ナット３は、雌ネジを有する筒状であって、その内面の中空部と略同径の穴が下部ベースプレート１に設けられている。なお、下部フランジプレート１０２にもこの穴と連通する穴が設けられており、免震装置を固定するネジが下部フランジ１０２側から丸長ナットへ挿通されることとなる。丸長ナット３の底面には定着プレート４が固着されている。定着プレート４にはネジ穴４２が切られていて、このネジ穴４２に六角穴ボルト５が上方から螺合している。六角穴ボルト５の先端には、設置プレート６を溶接等により固定する。これにより、六角穴ボルト５が、定着プレート４のネジ穴から外れる事態が生ずることはない。
【００１３】
コンクリート基礎８上には、基礎プレート７を予め固定しておく。コンクリート基礎８上には基礎プレート７があらかじめアンカーボルトにより必要な数固定されている。この基礎プレート７の面積は、設置プレート６の面積より大きくしておくことにより、ベースプレートの高さ及び水平調整が楽になり、また、高さ及び水平調整後のベースプレートの固定が容易に行える。例えば、設置プレート６の面積を５０mm×５０mmとした場合、基礎プレート７の面積は１００mm×１００mmとする。また、設置プレート６及び基礎プレート７の厚さは、設置や取付けの際の荷重、溶接等を考慮して、例えば４．５mm程度で十分である。  
まず、あらかじめコンクリート基礎８上には基礎プレート７を必要数、アンカーボルトにより固定しておく。この基礎プレート７の固定位置は、下部ベースプレート１に接続された丸長ナット３の位置と合わせる。
【００１４】
下部ベースプレート１は、穴１２と該穴の下面に丸長ナット３、丸長ナット３の先端にネジ穴４２が設けられた定着プレート４が固着されている。丸長ナットの筒状内面には雌ネジが形成されている。定着プレート４のネジ穴４２には六角穴ボルト５が螺合されており、該六角穴ボルト５の先端には設置プレート６が固定されている。
六角穴ボルト５は、下部ベースプレート１の上面側から丸長ナット３の筒状部に六角レンチ１０を挿入して、回動操作することができる。
【００１５】
ベースプレートの設置手順の一例について説明する。
定着プレート４にネジ穴４２を切って、このネジ穴４２に六角穴ボルト５を下部ベースプレート上方から丸長ナット３の中空部を通して螺合させる。そして、六角穴ボルト５の先端に設置プレート６を溶接する（図１）。そして、基礎プレート７上に設置プレート６の位置を合わせて下部ベースプレートを載置する（図２）。
【００１６】
この状態で、下部ベースプレート上方から六角穴レンチ１０を挿入して、丸長ナット３の中空部を通して六角穴ボルト５の高さ調整を行う（図３）。このとき、高さ調整は下部ベースプレート上方から行うことができるから、作業者が床面に寝そべるような無理な姿勢で高さ調整を行う必要がなく、作業性がよい。
【００１７】
全ての六角穴ボルト５の高さ調整を行い、所定の高さにすることで、水平の調整ができる。そのように高さ及び水平調整が全て終了したところで、基礎プレート７と設置プレート６を溶接９により固定する（図４）。
こうして下部ベースプレートの設置が終了し、この後、固定された下部ベースプレート上に免震装置１００を設置する。免震装置１００は、積層ゴム層の上下に上部フランジプレート１０３と下部フランジプレート１０２を備えている。免震装置の下部フランジプレート１０２に設けられた穴から、定着用アンカーボルト１３を丸長ナット３に挿通して、螺合する。免震装置を設置した後に、下部ベースプレート１とコンクリート基礎８との間の空間はモルタルなどを充填して基礎台８１を形成して固定する（図５）。
【００１８】
上記設置手順では、定着プレート４にネジ穴を切ってから、このネジ穴に六角穴ボルト５を螺合させていたが、あらかじめネジ穴を切った定着プレート４を準備しておいても構わない。また、ネジ穴を切った定着プレート４に六角穴ボルト５を螺合させて六角穴ボルト５の先端に設置プレート６を溶接した状態の下部ベースプレート１を準備し、これを設置しても構わない。
【００１９】
なお、上記した本発明の実施の形態の説明は、本発明に係る好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００２０】
１…下部ベースプレート
３…丸長ナット
４…定着プレート
４２…ネジ穴
５…六角穴ボルト
６…設置プレート
７…基礎プレート
８…コンクリート基礎
８１…基礎台
９…溶接
１０…六角穴レンチ
１２…穴
１３…アンカーボルト
１００…免震装置
１０２…下部フランジプレート
１０３…上部フランジプレート
【図１】
2016148183.tif 000003
【図２】
2016148183.tif 000004
【図３】
2016148183.tif 000005
【図４】
2016148183.tif 000006
【図５】
2016148183.tif 000007
【図６】
2016148183.tif 000008